(57)【要約】【課題】記憶媒体の交換などを行うことなく消去した情報の復活が可能であり、また、消去後に新たな情報を記録させたとしても確実に消去した情報を復活し得るようにする。【解決手段】記録媒体９には、撮像部７で撮影された多数の画像情報が記録され、記録媒体９に記録された多数の画像情報のうち消去すべき画像を選択して消去すると、選択された画像情報は記録部３の消去画像記録領域３Ａに記録され、その後記録媒体９から消去される。この消去画像記録領域３Ａに記録された画像情報は復活モードで読み出して再度記録媒体９に記録できる【選択図】図１
2006060469.tif 000002
【特許請求の範囲】
【請求項１】
画像情報を出力する撮像手段と、この撮像手段から出力された前記画像情報を着脱可能な記録媒体に記録する記録制御手段とを備えた撮像装置において、
前記記録媒体に記録された画像情報の消去を指示する消去画像指示手段と、
前記撮像装置内部に固定的に配置され前記消去画像指示手段によって消去を指示された前記記録媒体の前記画像情報を圧縮して記録する画像記録手段と、
前記消去画像指示手段によって消去を指示された前記画像情報を前記記録媒体より消去する消去手段と、
前記画像記録手段に記録された前記画像情報を出力する出力手段と、
を備えたことを特徴とする撮像装置。
【請求項２】
前記画像記録手段は複数の画像情報が記憶可能な記録領域を有し、この記録領域全てに画像情報が記憶されている際には最も早く記録された画像情報を消去して前記消去画像指示手段によって消去を指示された前記記録媒体の前記画像情報を新たに記録することを特徴とする請求項１に記載の撮像装置。
【請求項３】
更に、前記出力手段によって前記画像記録手段から出力された画像情報を前記着脱可能な記録媒体に書き込む書き込み手段を備えることを特徴とする請求項１に記載の撮像装置。
【請求項４】
内部に固定的に内部メモリが配置されると共に、記憶媒体が着脱可能な記録装置において、前記記憶媒体に情報を記録させる第１の情報記録制御手段と、前記記録媒体に記録された情報の消去を指示する消去指示手段と、この消去指示手段によって消去を指示された前記記録媒体の前記情報を圧縮して圧縮情報を得る圧縮手段と、この圧縮手段によって得られた圧縮情報を前記内部メモリに記録させる第２の情報記録制御手段と、前記消去指示手段によって消去を指示された前記情報を前記記録媒体より消去する消去手段と、前記内部メモリ手段に記録された情報を出力する出力手段とを備えたことを特徴とする記録装置。
【請求項５】
更に、内部に固定的に配置され情報が記録される記録部と、この記録部に記録された情報の消去を指示する記録部情報消去指示手段と、この記録部情報消去指示手段によって消去を指示された前記記録部の前記情報を圧縮して前記内部メモリに記録させる第３の情報記録制御手段と、前記記録部情報消去指示手段によって消去を指示された前記情報を前記記録部より消去する記録部消去手段とを備えたことを特徴とする請求項４に記載の記録装置。
【請求項６】
前記内部メモリは複数の情報が記憶可能な記録領域を有し、この記録領域全てに情報が記憶されている際には最も早く記録された情報を消去して前記消去指示手段によって消去を指示された前記記録媒体の前記情報を新たに記録することを特徴とする請求項４に記載の記録装置。
【請求項７】
更に、前記出力手段によって前記内部メモリから出力された情報を前記着脱可能な記録媒体に書き込む書き込み手段を備えることを特徴とする請求項４に記載の記録装置。
【請求項８】
コンピュータを、
画像情報を出力する撮像手段と、
この撮像手段から出力された前記画像情報を着脱可能な記録媒体に記録する記録制御手段と、
前記記録媒体に記録された画像情報の消去を指示する消去画像指示手段と、
前記撮像装置内部に固定的に配置され前記消去画像指示手段によって消去を指示された前記記録媒体の前記画像情報を圧縮して記録する画像記録手段と、
前記消去画像指示手段によって消去を指示された前記画像情報を前記記録媒体より消去する消去手段と、
前記画像記録手段に記録された前記画像情報を出力する出力手段として機能させるための撮像プログラム。
【発明の詳細な説明】
【技術分野】
【０００１】
この発明は、撮像装置、記録装置及び撮像プログラムに関する。
【背景技術】
【０００２】
従来、撮影した画像を着脱可能なメモリーカードなどの記録媒体に記録する電子スチルカメラにあっては、記録媒体に記録した多数の画像のうち不要な画像を指定し、指定した画像を消去（削除）して新たな画像を書き込めるようにしている。この場合、記録媒体には画像が記録される記録領域の内容を管理する管理情報の記憶領域も設けられており、消去を指定された画像は、実際には画像データそのものを消去してしまうのではなく、管理情報を消去状態としておいて画像データは残し、その画像データに新たな撮影画像データが上書きされない限り、いつでも復活出来るようにすることが行われている（特許文献１参照）。
【特許文献１】特開２００２−１３５７１１号
【発明の開示】
【発明が解決しようとする課題】
【０００３】
しかしながら、上述した電子スチルカメラなどの撮像装置にあっては、記録した画像の消去及び復活は記録媒体毎に管理するものであるため、消去した画像を後で復活させるためには、その画像がどの記録媒体に記録されていたものであるかを覚えておく必要があり、また、消去した画像の上に新たな撮影画像を上書きしてしまうと復活は不可能になってしまう欠点があった。
【０００４】
例えば、長期間の旅行などに行った場合、１枚の記録媒体に記録できる画像の数には制限があるために複数の記録媒体に画像を記録することになるが、撮影したはずのある画像が複数の記憶媒体の画像を再生しても見つからない場合、この画像は、誤って或いは不要と考えて消去してしまった可能性がある。この場合、消去画像を復活再生させて検索することになるが、複数の記憶媒体のいずれに記憶させたかを覚えていないと全ての記憶媒体を順次交換して撮像装置に装着し、それぞれの記憶媒体毎に消去画像を順次復活させて行かなければならず時間と手間がかかる欠点があった。
【０００５】
また、このような復活作業を行っても、その消去された画像に新たな撮影画像が既に上書きされてしまっているとその画像は既に存在しない為に復活は不可能であり、時間と手間をかけて上記復活作業を行ったとしても全く無駄な検索となってしまうものであった。
【０００６】
本発明は上記の点に鑑みてなされたもので、その課題とするところは、記憶媒体の交換などを行うことなく消去した情報の復活が可能であり、また、消去後に新たな情報を記録させたとしても確実に消去した情報を復活し得る撮像装置及び記録装置を提供する点にある。
【課題を解決するための手段】
【０００７】
本発明の請求項１の撮像装置は、画像情報を出力する撮像手段と、この撮像手段から出力された前記画像情報を着脱可能な記録媒体に記録する記録制御手段とを備えた撮像装置において、前記記録媒体に記録された画像情報の消去を指示する消去画像指示手段と、前記撮像装置内部に固定的に配置され前記消去画像指示手段によって消去を指示された前記記録媒体の前記画像情報を圧縮して記録する画像記録手段と、前記消去画像指示手段によって消去を指示された前記画像情報を前記記録媒体より消去する消去手段と、前記画像記録手段に記録された前記画像情報を出力する出力手段とを備えたことを特徴とする。
【０００８】
更に、請求項２の撮像装置は、請求項１に記載の撮像装置において、前記画像記録手段は複数の画像情報が記憶可能な記録領域を有し、この記録領域全てに画像情報が記憶されている際には最も早く記録された画像情報を消去して前記消去画像指示手段によって消去を指示された前記記録媒体の前記画像情報を新たに記録することを特徴とする。
【０００９】
更にまた、請求項３の撮像装置は、請求項１に記載の撮像装置において、更に、前記出力手段によって前記画像記録手段から出力された画像情報を前記着脱可能な記録媒体に書き込む書き込み手段を備えることを特徴とする。
【００１０】
本発明の請求項４に記載の記録装置は、内部に固定的に内部メモリが配置されると共に、記憶媒体が着脱可能な記録装置において、前記記憶媒体に情報を記録させる第１の情報記録制御手段と、前記記録媒体に記録された情報の消去を指示する消去指示手段と、この消去指示手段によって消去を指示された前記記録媒体の前記情報を圧縮して圧縮情報を得る圧縮手段と、この圧縮手段によって得られた圧縮情報を前記内部メモリに記録させる第２の情報記録制御手段と、前記消去指示手段によって消去を指示された前記情報を前記記録媒体より消去する消去手段と、前記内部メモリ手段に記録された情報を出力する出力手段とを備えたことを特徴とする。
【００１１】
また、請求項５の記録装置は、請求項４に記載の記録装置において、更に、内部に固定的に配置され情報が記録される記録部と、この記録部に記録された情報の消去を指示する記録部情報消去指示手段と、この記録部情報消去指示手段によって消去を指示された前記記録部の前記情報を圧縮して前記内部メモリに記録させる第３の情報記録制御手段と、前記記録部情報消去指示手段によって消去を指示された前記情報を前記記録部より消去する記録部消去手段とを備えたことを特徴とする。
【００１２】
更に、請求項６に記載の記録装置は、請求項４に記載の記録装置において、前記内部メモリは複数の情報が記憶可能な記録領域を有し、この記録領域全てに情報が記憶されている際には最も早く記録された情報を消去して前記消去指示手段によって消去を指示された前記記録媒体の前記情報を新たに記録することを特徴とする。
【００１３】
更にまた、請求項７に記載の記録装置は、請求項４に記載の記録装置において、更に、前記出力手段によって前記内部メモリから出力された情報を前記着脱可能な記録媒体に書き込む書き込み手段を備えることを特徴とする。
【発明の効果】
【００１４】
本発明によれば、消去した情報を撮像装置内部或いは記録装置内部のメモリに記憶させて集中管理するようにしたので、迅速に消去した情報を検索して出力させることが出来、また、着脱される記録媒体の情報を消去後に新たな情報が上書き記録されてしまったとしても確実に消去された情報を復活し得るものである。
【発明を実施するための最良の形態】
【００１５】
図１は、この発明を適用した記録装置、例えば、電子スチルカメラの回路ブロック図である。図において、制御部１は、ＣＰＵ等から構成され内部に記録装置全体の動作を制御するプログラムや後述する各部の動作を制御するプログラムを備えている。この制御部１にはバスライン２を介してそれぞれ詳細を後述する記録部３、ＲＡＭ（ランダム・アクセス・メモリ）４、伝送制御部５、表示部６、撮像部７、キー入力部８及び記録媒体９が装着される記録媒体駆動部１０が接続されている。
【００１６】
前記記録部３は、装置内部に固定的に配置されていて通常状態では取り出すことが出来ない内部メモリであり、不揮発性のメモリ、例えばフラッシュメモリなどから構成されている。この記録部３は、後述する多数の消去画像情報を記録する消去画像記録領域３Ａと多数の撮影した画像情報を記録する撮影画像記録領域３Ｂとから構成されている。
【００１７】
ＲＡＭ４は、各フラグ記憶部Ｍ、Ｄ、Ｆ、Ｇ、Ｈとワークエリアとしての記憶動作を行うワーク記憶部４Ａとから構成されている。各フラグ記憶部Ｍ、Ｄ、Ｆ、Ｇは、入力部８の後述する各キー入力によってフラグがオン（値が「１」）／オフ（値が「０」）設定されるものであり、フラグ記憶部Ｍは、フラグがオフの時が撮影した画像情報を記録する記録（撮影）モードで、フラグがオンの時が記録された画像情報を再生する再生モードである。また、フラグ記憶部Ｄは、フラグがオンの時は記録された画像情報を消去する消去モードとされ、フラグ記憶部Ｆは、フラグがオンの時、消去された画像を復活させる復活モードとなっている。
【００１８】
更に、フラグ記憶部Ｇは、撮影された画像の記録や記録した画像の再生などのアクセスを前記記録部３に対して行うか或いは前記記憶媒体９に対して行うかを選択する為のフラグを記憶するもので、フラグがオンの時は記録部３が選択された状態であり、フラグがオフの時には記録媒体９が選択された状態を示しているものである。
【００１９】
フラグ記憶部Ｈは、記録媒体９の装着の有無を検出して記憶しておくフラグであり、記録媒体９が記録媒体駆動部１０に装着されたことが、図示しない検出手段によって検出されるとフラグがオン状態に設定され、記録媒体９が記録媒体駆動部１０から取り外されるとフラグがオフに設定されるものである。
【００２０】
伝送制御部５は、外部の電子機器、例えばパーソナルコンピュータなどと接続され画像情報等の送受信を制御するものである。尚、外部機器との接続は、ケーブルなどによる有線でなく赤外線や無線などのワイヤレス接続で行ってもよいものである。
【００２１】
表示部６は、例えばカラー液晶表示装置などから構成され、撮影或いは再生時の画像情報や各種設定情報、各種動作のガイダンス情報などを表示するものである。
【００２２】
図２は、図１の撮像部７の詳細な構成を示したもので、撮影レンズ１１を通過した被写体像は絞り機構１２を介してＣＣＤ等の撮像素子１３上に結像される。前記撮影レンズ１１及び絞り機構１２は、光学系駆動部１４によって焦点合わせのためにレンズ位置が移動されまた適切な露出となるように絞り量が制御されるもので、このレンズの移動や絞り機構の絞りは、測距センサや光量センサを含むセンサ部１５によって検出された検出値がバスライン２を介して制御部１に送られ、制御部１で検出値に基づいて演算されたレンズの移動量や絞り機構の絞り量を示す信号が光学系駆動部１４に送られることによって駆動がなされるものである。
【００２３】
前記撮像素子１３に被写体が結像されることにより撮像素子には入射光量に応じた電荷が蓄積され、この電荷は駆動回路１６から与えられる駆動パルス信号によって順次読み出されアナログ処理回路１７に送られる。アナログ処理回路１７では、色分離やゲイン調整、ホワイトバランスなどの各種処理が行われ、処理された信号はＡ／Ｄ変換回路１８を介してデジタルの画像情報としてバッファレジスタ１９に記憶される。
【００２４】
バッファレジスタ１９に記憶された画像情報は、信号処理回路２０において輝度信号及び色差信号に変換されると共に、圧縮伸張回路２１にて圧縮されバスライン２を介して図１に示した記録部３の撮影画像記録領域３Ｂもしくは記録媒体９に記録されるものである。尚、画像情報の記録はファイル形式で記録され、また、このとき撮影画像記録領域３Ｂもしくは記録媒体９に記録された画像情報は、表示部６にも表示され撮影した画像を確認できるようになっている。
【００２５】
図１に戻り、入力部８には、上述した撮像部７を駆動して画像を記録させるためのシャッターキー８Ａ、記録モード及び再生モードを切り替えるための（即ち、フラグ記憶部Ｍのフラグをオフ及びオンに切り替えるための）記録再生モード切替キー８Ｂ、消去モードを設定するための（フラグ記録部Ｄのフラグをオン及びオフに切り替えるための）消去モード設定キー８Ｃ、復活モードを設定するための（フラグ記録部Ｆのフラグをオン及びオフに切り替えるための）復活モード設定キー８Ｄ、画像の記録或いは再生を撮影画像記録領域３Ｂに対して行うか或いは記録媒体９に対して行うか（フラグ記録部Ｇのフラグをオン状態にするかオフ状態にするか）を設定するためのメモリ選択キー８Ｅ及び各種処理の実行或いは処理の終了を行わせる実行／終了キー８Ｆを備えている。
【００２６】
また、入力部８には、表示部６に表示された各種情報を選択したり、表示されている画像を切り替えたりするために上下左右にそれぞれスイッチ操作部が設けられた十字キー８Ｇも備えられており、更に、図示していないが、撮像部での各種撮影条件を設定するための各種キーや電源オン／オフのためのキーなどが備えられている。
【００２７】
記録媒体駆動部１０は、この記録媒体駆動部１０に着脱可能な記録媒体９に対して情報を記録したり、既に記録されている情報を読み出して再生したりする為の駆動回路であり、装着される記録媒体９としては、例えばスマートメデイア、ＰＣカード、コンパクトフラッシュ（登録商標）、ＩＣカード等の各種カードが用いられる。この場合、カードではなく磁気デイスク、光（或いは光磁気）デイスクなどの各種デイスクを用いてもよく、要するに多数の画像情報を記憶し得る記憶媒体９が用いられ、記録媒体駆動部１０もこれら使用される記録媒体９に応じた駆動回路となっていればよいものである。尚、記録媒体駆動部１０には、図示していないが前述した如く記録媒体９が装着されているか否かを検出する機械的な検出手段が設けられており、この検出値によってフラグ記憶部Ｈのフラグがオンもしくはオフとなっている。
【００２８】
次に、上記の如く構成された電子スチルカメラの動作につき、図３乃至図５のフローチャートを参照して説明する。
【００２９】
図３は、画像撮影時の動作を示すフローチャートである。画像撮影を行う場合には、予め記録再生モード切替キー８Ｂを操作してフラグ記憶部Ｍのフラグをオフに設定し撮影モードにしておく。また、撮影した画像を記録部３の撮影画像記録領域３Ｂに対して行うか或いは記録媒体９に対して行うかをメモリ選択キーの操作によって、フラグ記憶部Ｇをオンもしくはオフにすることにより選択しておく。
【００３０】
しかして、ステップＳ１は、シャッタースイッチ８Ａが操作されたか否かを判断する処理であり、図示はしないがシャッタオンでなければ画像の表示だけがなされており、又、パワーオフではエンドとなる。そして、シャッタースイッチ８Ａが操作されるとステップＳ２に進み、図２の撮像素子１３に結像された被写体像の画像情報をバッファレジスタ１９に取り込む。
【００３１】
この場合、シャッタースイッチ８Ａは２段スイッチで構成され、１段目のスイッチがオンになると被写体までの距離や光量が測定されて焦点合わせや絞り制御が行われ、２段目のスイッチで撮像素子から被写体画像の読み出しが開始されるものであるが、これらは一般的な技術であるので図３のフローチャートでは省略してある。しかして、次のステップＳ３では、記録媒体９が装着されているか否かをフラグ記録部Ｈの内容によって判断し、記録媒体９が装着されていた場合（ＹＥＳの場合、尚、図では単にＹと記す）にはステップＳ４に進んで、記録先として記録媒体９が選択されているか否かをフラグ記憶部Ｇの内容によって判断する。
【００３２】
ステップＳ４で、記録先として記録媒体９が選択されていることが判断された場合には、次のステップＳ５に進み、バッファレジスタ１９に記憶されている画像情報を信号処理回路２０で処理し更に圧縮伸張回路２１で圧縮して記録媒体９に記録する。
【００３３】
上記ステップＳ３で記録媒体９が装着されていないことが判断された場合（ＮＯの場合、尚、図では単にＮと記す）及びステップＳ４で記録先として内部メモリである記録部３の撮影画像記録領域３Ｂが選択されていたことが判断された場合には、いずれもステップＳ６に進み、バッファレジスタ１９に記憶されている画像情報を信号処理回路２０で処理し更に圧縮伸張回路２１で圧縮して撮影画像記録領域３Ｂに記録する。
【００３４】
尚、上記ステップＳ５及びステップＳ６における圧縮は、ＪＰＥＧ圧縮であり、例えばファイン（１／４）、ノーマル（１／８）、基本（１／１６）等予め圧縮率などが設定されていれば、それにあった圧縮率で圧縮がなされる様になっている。
【００３５】
上述した図３のフローチャートの動作を繰り返すことにより、記録媒体９或いは撮影画像記録領域３Ｂには多数の画像情報が記録されることになる。
【００３６】
次に、記録媒体９に記録された多数の画像情報のうち、不要の画像情報を消去する動作を図４のフローチャートを用いて説明する。この図４のフローチャートは、再生モードにおいて消去モード設定キー８Ｃが操作されることによって処理が開始されるもので、まずステップＳ１０では、表示部６に、内部メモリに記憶された画像（記録部３の撮影画像記録領域３Ｂに記憶されている画像）を消去するのか或いは記憶媒体９に記憶されている画像を消去するのかをユーザに選択させる為もガイダンス表示がなされる。
【００３７】
図６は、このガイダンス表示の表示状態を示しており、消去メニューの文字が表示されると共に、メモリ選択を促す「消去するメモリを選んで下さい」の文章が表示され、且つ、それぞれ先頭にチェックボックスを有する「カードの画像」及び「カメラ内部の画像」の文章が表示される。チェックボックスの一つにはチェックマークＣが表示されており、メモリ選択キーの操作によってフラッグ記憶部Ｇの内容をオンもしくはオフに設定することによってチェックマークＣの位置が変更され消去するメモリが選択できる。しかして、このようにしてメモリを選択した後、実行／終了キー８Ｆが操作されるとステップＳ１１に進み消去するメモリとして記録媒体９が選択されたか否かが判断される。
【００３８】
ステップＳ１１で記憶媒体９が選択されたことが判断されるとステップＳ1２に進み、記憶媒体９が記憶媒体駆動部１０に装着されているか否かが判断され、装着されている場合には次のステップＳ１３において、記憶媒体９に記憶されている画像情報の縮小画像或いはサムネイル画像が表示される。図７は、この表示状態を示しており、３行６列に１８の画像情報の縮小画像が表示されている状態を示している。
【００３９】
そして、次のステップＳ１４では、表示されている複数の画像情報のうち消去したい画像情報を選択する処理が行われる。即ち、表示されている縮小画像のうちの一つは、画像全体が強調表示されて表示されるか或いは枠表示が他と異なって表示されることによって選択状態となって表示されているものであり、十字キー８Ｇの上下左右の操作がなされると強調表示される画像も順次上下左右に移動し、これによって任意の画像が選べるようになっている。図７においては縮小画像３０が選択されている状態を示している。
【００４０】
また、最下行の画像が選択されている状態で、十字キー８Ｇの下方向のスイッチ操作がなされると各行の画像情報が１行上方にシフトされると共に、記録媒体９に記録されている次の６つの画像が新たに最下行に表示され、これを繰り返すことによって記憶媒体９に記憶されている全ての画像の縮小画像が表示し得るものである。一方、最上行の画像が選択されている状態で、十字キー８Ｇの上方向のスイッチ操作がなされると逆のシフト動作が行われ元に戻ることが出来るものである。
【００４１】
このようにして、記録媒体９に記録された画像情報のうち、消去したい画像情報の選択がなされた後は、実行／終了キー８Ｆが操作されるとステップＳ１５に進む。ステップＳ１５では、記録部３の消去画像記録領域３Ａに空き領域があるか否かが判断され、空き領域が存在する場合にはステップＳ１６に進んでステップＳ１４で選択された消去したい画像情報を記録媒体９から読み出し、読み出した画像情報を圧縮して空き領域に記録する。その後ステップＳ１７では選択された消去したい画像、この場合は記録媒体９の選択された消去したい画像に対して消去処理を実行して処理を終了する。尚、この消去処理は、画像情報をクリアしてしまってもよいが、管理情報を消去状態に設定して見かけ上消去した状態にしておき画像情報は残すようにした消去処理であってもよい。
【００４２】
また、ステップＳ１５で消去画像記録領域３Ａに空き領域が無いと判断された場合には、ステップＳ１８に進み、消去画像記録領域３Ａに記録されている画像情報のうち、最も古い画像情報、即ち最も早く記録された画像情報を消去してその領域にステップＳ１４で選択された消去したい画像情報を記録し次のステップＳ１７に進むものである。
【００４３】
一方、ステップＳ１１で消去するメモリとして内部メモリが選択された場合には、ステップＳ１９に進んで撮影画像記録領域３Ｂに記憶されている画像情報の縮小画像或いはサムネイル画像を表示させ、次のステップＳ２０で消去画像の選択を行う。このステップＳ１９及び２０の画像情報の縮小画像或いはサムネイル画像の表示と消去画像の選択は、記憶媒体９から画像情報を読み出すのでなく撮影画像記録領域３Ｂから画像情報を読み出す点を除けばステップＳ１３、Ｓ１４で説明した内容と全く同様に行われるものであり、その詳細な説明は省略する。
【００４４】
しかして、撮影画像記録領域３Ｂの消去すべき画像情報が選択された後はステップＳ１５、Ｓ１６（又はＳ１８）において消去すべき画像情報が圧縮されて消去画像記録領域３Ａに記憶され、更にステップＳ１７で撮影画像記録領域３Ｂの選択された消去すべき画像情報が消去されて処理が終了する。
【００４５】
図５は、上述の如くして消去された画像情報を復活させる為の画像復活処理のフローチャートである。この画像復活の処理は再生モードにおいて復活モード設定キー８Ｄが操作されることによって処理が開始されるもので、まずステップＳ３０では、表示部６に、消去画像記録領域３Ａに記録されている画像情報の縮小画像或いはサムネイル画像が表示され、次のステップＳ３１では、表示された画像のうち復活させたい画像の選択がなされるる。
【００４６】
このステップＳ３０及びＳ３１の画像表示と選択は、ステップＳ１３及びＳ１４で説明した消去画像の表示と選択と同様にして行われるもので、即ち、消去画像記録領域３Ａに記録されている画像情報の縮小画像或いはサムネイル画像が図７の如く表示され、十字キー８Ｇの上下左右の操作によって強調表示される画像を選択することによって復活画像を選択するものである。また、最下行の画像が選択されている状態で、十字キーの下方向のスイッチが更に操作されると各行の画像情報が１行上方にシフトされると共に、消去画像記録領域３Ａに記録されている次の画像が新たに最下行に表示され、最上行の画像が選択されている状態で、十字キーの上方向のスイッチが更に操作されると元に戻る点も同様である。
【００４７】
このようにして復活すべき画像情報を選択した後、実行／終了キー８Ｆが操作されるとステップＳ３２に進み、復活すべき画像情報を記録媒体９に復活させるのか或いは内部メモリである撮影画像記録領域３Ｂに復活させるのかの選択処理が行われる。この選択は、図４のステップＳ１０でメモリ選択を行ったのと同様に、表示部６にそれぞれ先頭にチェックボックスを有する「カードの画像」及び「カメラ内部の画像」の文章が表示され、チェックボックスのチェックマークＣの位置をメモリ選択キーの操作によって変更することによって行われる。このようにしてメモリを選択した後、実行／終了キー８Ｆが操作されるとステップＳ３３に進み、復活させる画像情報の記憶先のメモリとして記録媒体９が選択されたか否かが判断される。
【００４８】
ステップＳ３３で記憶媒体９が選択されたことが判断されると、次のステップＳ３４では記憶媒体９が装着されているか否かが判断され、装着されている場合にはステップＳ３５に進む。ステップＳ３５では、記憶媒体９に空き領域が存在するか否かが判断され、空き領域が存在する場合にはステップＳ３６に進んで復活させる画像情報を記憶媒体９の空き領域に記録する。
【００４９】
ステップＳ３３で記憶媒体９が装着されていないことが判断された場合及びステップＳ３５で記憶媒体９に空き領域が存在しないことが検出された場合には、ステップＳ３７に進み、「カード（記憶媒体９）が装着されていないか或いは空き領域がありません」「内部のメモリに復活させますか？」といったガイダンス表示を行わせる。
【００５０】
図８はこの表示状態を示したもので、上記ガイダンス表示と共に内部のメモリに復活させるか或いは復活処理を終了（この場合は中止）させるかの表示も行い、ユーザに十字キー８Ｇでいずれかを選択させる。
【００５１】
ユーザがいずれかを選択して実行／終了キー８Ｆを操作するとステップＳ３８に進み、ユーザが復活先を内部メモリに変更したか否かが判断される。復活先を内部のメモリに変更した場合にはステップＳ３９に進むが、そうでない場合は「終了する」を選択したものと判断し処理を終える。
【００５２】
ステップＳ３３で、内部メモリ（記録部３の撮影画像記録領域３Ｂ）が選択された場合及びステップＳ３８で記憶媒体９から内部メモリへの変更があった場合にはいずれもステップＳ３９に進む。このステップＳ３９では撮影画像記録領域３Ｂに空き領域が存在するか否かが判断され、空き領域が存在する場合にはステップＳ４０に進んで復活させる画像情報を撮影画像記録領域３Ｂの空き領域に記録する。
【００５３】
ステップＳ３９で撮影画像記録領域３Ｂに空き領域が存在しないことが検出された場合には、ステップＳ４１に進み、今度は「内部メモリに空き領域がありません。カードに記憶させますか？」といったガイダンス表示を行わせ、同時に、カードに記憶させるか或いは復活処理を終了（この場合は中止）させるかの表示も行い、ユーザに十字キー８Ｇでいずれかを選択させる。
【００５４】
ユーザがいずれかを選択して実行／終了キー８Ｆを操作するとステップＳ４２に進み、ユーザが復活先をカード（記憶媒体９）に変更したか否かが判断される。復活先をカードに変更した場合にはステップＳ３４に進んで既に説明したステップ３４以下の処理を行うが、そうでない場合は「終了する」を選択したものと判断し処理を終える。
【００５５】
このように、上記実施例では、着脱可能な記録媒体９に記録されている画像情報を消去しても、その画像情報を撮像装置である電子スチルカメラの内部メモリである消去画像記録領域３Ａに記憶させておくようにしたため、複数の記憶媒体のいずれで消去したかを覚えていないときでも、直ちに消去画像を復活し得るものである。
【００５６】
また、消去した記憶媒体に別の画像を上書きしてしまったとしても、カメラ内部に消去画像が残されているためいつでも復活が可能である。更に、消去する画像は、更に圧縮して消去画像記録領域３Ａに記憶させて復活させるようにしたため、消去画像記録領域３Ａには多数の消去画像が記録し得るものである。
【００５７】
尚、上記実施例では、撮影した画像情報を記録媒体９及び撮影画像記録領域３Ｂのうち選択した一方に記録させるようにしたが、記録媒体９及び撮影画像記録領域３Ｂの両方に記録するようにして、撮影画像記録領域３Ｂに記録した画像はＵＳＢ端子等を介して他のＵＳＢ端子を有する電子機器、例えばテレビやプリンタに供給して表示やプリントアウトを行わせ、記録媒体９に記録した画像は、例えば画像印刷販売装置など記録媒体９が装着できる他の電子機器に装着して使用することも可能である。また、消去画像記録領域３Ａから画像を復活させる場合にも、復活画像を記録媒体９及び撮影画像記録領域３Ｂの両方に記録するようにしてもよい。
【００５８】
また、上記実施例では、記録部３を消去画像記録領域３Ａと撮影画像記録領域３Ｂとに分けて記録するようにしたが、それぞれを別のメモリで構成してもよいことは勿論であり、また、一つのメモリに混在して記録させる場合には管理ファイルを設けてどの記憶領域にどちらの画像が記録されているかを管理させるようにしてもよいものである。
【００５９】
また、表示される画像情報の縮小画像やサムネイル画像は、撮影した時に作成して撮影画像と対応づけて記憶しておきこれを読み出して表示させてもよいし、或いは表示させる時に縮小画像やサムネイル画像を作成してもよいものである。
【００６０】
更に、上記実施例では、電子スチルカメラで撮影した画像情報の消去について説明したが、動画やアニメなどの画像情報、音楽や音声等の音情報、電子メールや文書などのテキスト情報、表データ情報等であっても適用し得るものである。
【００６１】
また、記録装置としては、撮像装置だけでなく、ビデオカメラ、携帯電話、ＰＤＡ、パーソナルコンピュータ、音楽再生機、ＥＣＲ、ＰＯＳなどにも適用し得るものである。
【図面の簡単な説明】
【００６２】
【図１】本発明による電子スチルカメラの回路ブロック図。
【図２】図１の撮像部７の詳細な構成図。
【図３】画像撮影の処理を示すフローチャート。
【図４】記録された画像の消去処理のフローチャート。
【図５】消去された画像の復活処理のフローチャート。
【図６】画像を消去する際の表示部６の表示状態図
【図７】同じく表示部６の表示状態図
【図８】画像を復活させる際の表示部６の表示状態図
【符号の説明】
【００６３】
３      記録部
６      表示部
７      撮像部
８      入力部
９      記録媒体
１１    撮影レンズ
１２    絞り機構
１３    撮像素子
１７    アナログ処理回路
１８    Ａ／Ｄ変換回路
１９    バッファレジスタ
２０    信号処理回路
２１    圧縮伸張回路
【図１】
2006060469.tif 000003
【図２】
2006060469.tif 000004
【図３】
2006060469.tif 000005
【図４】
2006060469.tif 000006
【図５】
2006060469.tif 000007
【図６】
2006060469.tif 000008
【図７】
2006060469.tif 000009
【図８】
2006060469.tif 000010